(57)【特許請求の範囲】
【請求項１】
墓石を囲んで配置される石材製の外柵において、
外柵の一部を構成する、石材製の外柵部材と、
燈明台として使用可能にするために、上記外柵部材の内部に備えられる内部空間と、
上記内部空間を外部空間に通じさせるために、内部空間を構成する面において少なくとも隣接する２面に亘って形成された開口部分と、
上記隣接する２面に亘る開口部分を閉塞するために、曲がり形状に形成された石材製の閉塞部材と、
内部空間への物品の出し入れを可能にする火入れ口を、内部空間の内側の側面を閉塞する内側面閉塞部分又は内部空間の外側の側面を閉塞する外側面閉塞部分のどちらかに開口するとともに、火入れ口に装備した引き戸又は開き扉から成る開閉手段
を具備して構成された墓石の外柵における燈明台装置。
【請求項２】
閉塞部材は、内部空間を構成する内側又は外側どちらかの側面、正面及び上面の４面の内の、少なくとも隣接する２面に亘るほぼＬ字型、Ｊ字型を含む曲がり形状に形成されている請求項１記載の墓石の外柵における燈明台装置。
【請求項３】
閉塞部材は、内部空間の内側又は外側どちらかの側面を閉塞する内側面閉塞部分又は外側面閉塞部分と、内部空間の正面を閉じる石材製の正面閉塞部分とが連続して形成されており、平面形状がほぼＬ字型又はＪ字型に形成された閉塞部材から成ることを特徴とする請求項１記載の墓石の外柵における燈明台装置。
【請求項４】
閉塞部材は、内部空間の上面を閉塞する上面閉塞部分と、内部空間の正面を閉じる石材製の正面閉塞部分とが連続して形成されており、側面形状がほぼＬ字型又はＪ字型に形成された閉塞部材から成ることを特徴とする請求項１記載の墓石の外柵における燈明台装置。
【発明の詳細な説明】
【技術分野】
【０００１】
本発明は、墓石を囲んで配置される石材製の外柵における燈明台装置に関するもので、特には、外柵の一部に燈明台として使用可能な内部空間を備えるとともに、内部空間に燈明以外の物品も納められるようにしたものである。
【背景技術】
【０００２】
本発明において、外柵とは、墓石を囲んで配置される石材製の構築物を意味しており、墓石に向かって正面の参拝口は開口し、左右両側面と背面の三方に低い囲みをめぐらしたもので、通常はそれによって墓の区域つまり墓所が画定されている。墓所には、墓石とともに水鉢、香炉及び拝石、花立て、墓誌、灯篭などが付属しており、また、外柵の前端部分には親柱などと称する石塊が配置され、その正面に家紋を彫り込んだものが良く見受けられる。墓所はお参りするところであり、墓参者は必要なものを持参しかつ持ち帰るものという観念から、墓所には上記付属物以外の何物も置かないのが普通である。しかし、忘れ物がある場合には、十分な墓参ができないことになる。
【０００３】
また、上記のような従来の墓所の設備では、墓参者は、墓石を清掃し、花立てに花を生け、線香に火を付けるなどの動作を狭い墓所にて行うことになる。特に、暗い状況において灯篭に火を点す場合には、頭など身体の一部を墓石や灯篭などにぶつける恐れがある。そこで、本発明者は墓所用燈明空間付きの羽目石を考案し、先に実用新案の登録を出願して第３１３５８２９号の実用新案登録を得ている。これによって、外柵の前部に設けた燈明の明かりで、墓所に入る前でも墓前を照明することができ、安全性が高められるようになった。
【０００４】
ところが、従来の燈明の火入れ口は、石燈籠の時代の構造を引き継いでいるためか、燈明空間が吹きさらしの環境にあり、ゴミや埃の侵入を防ぐことができない。また、虫の侵入も避けられず、ときには蜂が巣を作るという問題も起こる。紙を貼った格子枠を火入れ口に嵌め込んで、風除けのために蓋をすることは従来から行われているが、その程度のものでは強風によって吹き飛ばされ、紛失することもしばしばである。墓所の設備は全てが石材製であるため、このような不便があり、中々改善が進まなかったという特殊な事情がある。他の先行技術を見ると、例えば、特開２００７−３２７３２３号があるが、この燈明台は外部から内部を看取するため石材に窓や透孔を設けており、風雨の影響を或る程度抑制できるとしても、その効果は限定されると思われる。
【０００５】
そこで本発明者は、内部に燈明台として使用可能な内部空間を有し、かつ、上記内部空間への物品の出し入れのために火入れ口を備えた石材製の外柵部材を具備し、上記火入れ口に、引き戸又は開き扉から成る開閉手段を装備した構成を有する燈明台装置を開発し、その成果の一部について特許出願をした。同出願に係る発明は石材加工の観点から、最も合理的と考えられる構造を目標としてなされており、ほぼ直方体形状を有する内部空間の左（外側）又は右（内側）と正面に開放部分を有しているが、各開放部分を専用の閉塞部材によって閉塞する構造を取っていた。このため、石材の加工性は良く、経済性も良いが部品点数が多くなり、組み立てに手数が掛かるものであった。また、比較的小さい部材の接合で組み立てられるため強度上の不安もあり、外力を受けると破壊の恐れがある。墓所の性格上、墓所の設備は恒久的であることが望まれる。
【０００６】
【特許文献１】実用新案登録第３１３５８２９号
【特許文献２】特開２００７−３２７３２３号
【発明の開示】
【発明が解決しようとする課題】
【０００７】
本発明は前記の観点からなされたもので、その課題は、燈明台として使用可能であり、また、墓参に使用する物品も収納可能な内部空間を外柵に設けるとともに、この内部空間と外部空間を通じる開口部分を隣接する２面に亘る構造とし、曲がり形状に形成した石材製の閉塞部材によって上記開口部分を閉塞することで強度を高め、生産性と信頼性を向上できるようにすることである。また、本発明の他の課題は、よりスマートな外観を具備し得るようにした墓石の外柵における燈明台装置を提供することである。
【課題を解決するための手段】
【０００８】
前記の課題を解決するため、本発明は墓石を囲んで配置される石材製の外柵において、外柵の一部を構成する、石材製の外柵部材と、燈明台として使用可能にするために、上記外柵部材の内部に備えられる内部空間と、上記内部空間を外部空間に通じさせるために、内部空間を構成する面において少なくとも隣接する２面に亘って形成された開口部分と、上記隣接する２面に亘る開口部分を閉塞するために、曲がり形状に形成された石材製の閉塞部材と、内部空間への物品の出し入れを可能にする火入れ口を、内部空間の内側の側面を閉塞する内側面閉塞部分又は内部空間の外側の側面を閉塞する外側面閉塞部分のどちらかに開口するとともに、火入れ口に装備した引き戸又は開き扉から成る開閉手段を具備して構成するという手段を講じたものである。
【０００９】
内部空間の具体的形状は、自由にデザインすることができる。また、本発明の燈明台装置は、上記内部空間への物品の出し入れのために火入れ口を備えた石材製の外柵部材を具備しているが、外柵の前後左右及び上面、正面等のどの面に火入れ口を設けるかについても自由に選択することができる。火入れ口は、上記の物品類を出し入れするために、少なくとも片手を差し入れることができるだけの大きさを有する。ここで、外柵部材とは、外柵の一部を構成する部材を意味している。例えば、墓石に向かって左右両側面と背面から成る外柵では、左側面の外柵部分や右側面の外柵部分が１個の石材から成るもの、また、複数個の石材を組み合わせて成るもの、共に存在するので、どちらの外柵部材にも内部空間を形成することができる。
【００１０】
本発明の燈明台装置では、外柵部材を燈明台として使用するために、内部を刳り抜いて形成した内部空間を有し、上記内部空間を外部空間に通じさせるために、内部空間を構成する面において隣接する２面に亘って形成された開口部分を有している。内部空間が直方体かそれに近い形状の場合、その六面の内の一面からでも内部空間を刳り抜き、或いは彫り込んで形成することはできるが、それにはコアビットなどと通称する工具を用い、時間と手間をかけて加工しなければならない。他方、隣接する２面に亘って形成した開口部分を有している内部空間の場合には、丸鋸を用いた切断が可能であるから、加工性は格段に良好であり、生産性向上という課題にも適合する。なお、開口部分は少なくとも２面に亘って形成されていれば良いから、３面に亘る場合もあり得る。
【００１１】
また、上記開口部分の閉塞のために、隣接する２面に亘る曲がり形状に形成された石材製の閉塞部材を適用する。内部空間の内側又は外側どちらかの側面、正面及び上面の４面の内の少なくとも隣接する２面に亘って形成した開口部分であるから、ほぼＬ字型、Ｊ字型を含む曲がり形状になる。つまり、隣接２面の境界部分が直角であれば閉塞部材の断面形状は概ねＬ字型、曲面であればＪ字型と言って良い。Ｌ字型、Ｊ字型等は、上記のように合理的な形状であると言えるが、必ずしもこれらの形状に限定されるものではない。何れにしても、ほぼＬ字型、Ｊ字型等の形状選択を可能にしたことは、石材製の閉塞部材にデザイン的な変化を与える自由が生じるので、好ましい要素である。
【００１２】
本発明の装置は、さらに、内部空間への物品の出し入れを可能にする火入れ口を上記内側又は外側どちらかの閉塞部材に開口するとともに、火入れ口に装備した引き戸又は開き扉から成る開閉手段を具備している。上記内部空間は、内側面又は外側面のどちらを火入れ口として開放しても良いのでこのように記載しており、開放した内側面又は外側面を含む閉塞部材に火入れ口を形成するものである。但し、複数の墓所が隣接した配置を取る場合、火入れ口は内部空間の内側面に配置せざるを得ないが、また、実際にもこの例が多いであろう。開閉手段は、石材以外の材料を用いなくても、つまり、石材だけで形成し、設置することも可能である。また、極端に狭い場所でも開閉可能としたい場合には引き戸から成る開閉手段が適しているが、両開き或いは片開き式の開き戸の選択が可能であることは、外観や構造の改善に有効である。
【００１３】
本発明において、閉塞部材は、内部空間を構成する内側又は外側どちらかの側面、正面及び上面の４面の内の、少なくとも隣接する２面に亘るほぼＬ字型、Ｊ字型を含む曲がり形状に形成することができる。特に、内部空間の内側又は外側どちらかの側面を閉塞する内側面閉塞部分又は外側面閉塞部分と、内部空間の正面を閉じる石材製の正面閉塞部分とが連続して形成されている場合、閉塞部材はその平面形状がほぼＬ字型又はＪ字型に形成される。しかし、それだけではなく、内部空間の上面を閉塞する上面閉塞部分と、内部空間の正面を閉じる石材製の正面閉塞部分とが連続して形成されることもあり、この場合には側面形状がＬ字型又はＪ字型に形成される。
【００１４】
開閉手段を構成するものが石材製の引き戸である場合、内部空間の開放した側の上下の縁に前後方向に沿って溝部又は桟材を設け、上記引き戸はその上部と下部を溝部に摺動可能に嵌め込み、或いは桟材に引き戸を宛がって取り付けられており、上記引き戸を外部から覆うように、閉塞部材の内側面閉塞部分又は外側面閉塞部分が外柵部材に接合されているという構成を取り得る。上記の構成は、引き戸を嵌めるいわゆる敷居に相当するものと鴨居に相当するものを、共に溝部だけで形成すること、共に桟材だけで形成することを許容するものである。しかしながら、開閉手段を開き扉方式に形成することも可能であり、その場合、火入れ口に金属製部材から成る扉外枠を接合するとともに、扉外枠に金属製部材から成る開き扉を、ヒンジ部を用いて開閉可能に取り付けた構造とすることができる。
【００１５】
なお、上記の引き戸又は開き扉及び石材製の正面閉塞部材は、任意の模様から成る開口部を設けることができるが、これらの開口部は、光を透過するシート状の素材によって閉塞されていても良い。光を透過するシート状の素材であれば、燈明の本来の機能を妨げることがなく、かつまた、塵埃や虫の侵入の防止に最も効果的である。上記の素材としては旧来の紙類の他、プラスチックシート、ガラス等を使用することができる。
【発明の効果】
【００１６】
本発明は以上のように構成されかつ作用するものであるから、燈明台として使用可能であり、また、墓参に使用する物品も収納可能な内部空間を外柵に設けるとともに、この内部空間と外部空間を通じる開口部分を隣接する２面に渡る構造とするとともに、上記開口部分をほぼＬ字型、Ｊ字型を含む曲がり形状に形成した石材製の閉塞部材によって閉塞するように改良したことで強度が高められ、生産性と信頼性を向上することができるという効果を奏する。また、本発明によれば、閉塞部材をほぼＬ字型、Ｊ字型を含む曲がり形状に形成することによりスマートな外観を具備し得るようにした墓石の外柵における燈明台装置を提供することができる。
【発明を実施するための最良の形態】
【００１７】
以下図示の実施形態を参照して本発明をより詳細に説明する。図１は本発明に係る外柵における燈明台装置１０を適用した墓石の一例を示すものである。図中、符号１１は墓石を示しており、水鉢１２、花立て１３、香炉１４等を具備し、それらを囲んで外柵１５が配置されている。外柵１５は向かって左側面部分１５ａ、背面部分１５ｂ及び右側面部分１５ｃとから構成されている。１６、１７は左右の外柵部材であり、左外柵部材１６は外柵の左側面部分１５ａの前方部分を構成し、右外柵部材１７は外柵の右側面部分１５ｃの前方部分を構成している。
【００１８】
左外柵部材１６と右外柵部材１７とは、それぞれの内部に燈明台として使用可能な内部空間１８を有しており（図２参照）、ここに本発明の燈明台装置１０が構成されている。内部空間１８は左右対称で左右の区別があるが、備えるべき構成は基本的に左右で相違がないので、以後、左側の内部空間１８を主として説明し、必要が生じた場合に右側の説明を追加することとする。本発明の燈明台装置１０では、装置を構成するほぼ全てが石材製品から成っている。本発明に係る装置の例１は図１及び図２に示されており、その石材製の外柵部材１６、１７の上記内部空間１８は、上面と正面の２面が開口部分１９Ａ、１９Ｂになっている。また、内部空間１８の外側壁（左側面、但し右外柵部材１７については右側面）１６ａの切欠き部１６ｂの上部と、内側壁（右側面、但し右外柵部材１７については左側面）１６ｃの切欠き部１６ｄの上部もそれぞれ部分的な開口部分になっている。
【００１９】
例１の場合、閉塞部材２０は、内部空間１８の上面の開口部分１９Ａを閉塞する上面閉塞部分２０Ａと、内部空間１８の正面の開口部分１９Ｂを閉じる正面閉塞部分２０Ｂとが連続しており、かつ、一体化によって側面形状がほぼＬ字型に形成された閉塞部材２０となっている。上面閉塞部分２０Ａは、外側面の上部切欠き部１６ｂと、内側面の上部切欠き部１６ｄに載置されるとともに、正面閉塞部分２０Ｂは外柵部材１６の正面部１６ｅに接触してそれぞれ接合され、このとき上面閉塞部分２０Ａの後端は内部空間１８の奥壁上部に接触して接合される（図１参照）。故に、石材製品から成る外柵部材１６、１７及び閉塞部材２０であるが、何れも丸鋸を用いて加工することができる。なお、接合には石材用接着剤が用いられる。
【００２０】
例１の閉塞部材２０は、その上面閉塞部分２０Ａの下面の内側に、前後方向に沿った溝部２２ａを有している。溝部２２ａは、開閉手段を構成する石材製の引き戸２１の摺動機構２２の上位の部分として設けられており、摺動機構２２の下位の部分としては、前後方向の桟材２２ｂが内部空間１８の下面の内側に取り付けられ、内側面の一部２２ｃとの間に引き戸２１の下辺を受け入れる摺動機構２２の一部を形成している（図３参照）。図示の桟材２２ｂには金属製のＬ型部材を用いているが、これは石材製品を用いて単なる棒状に形成したものでも代用できる。また、閉塞部材２０の正面閉塞部分２０Ｂは装飾的な小開口２０ｄを有しており、小開口２０ｄは、墓に適した模様で構成され、通気可能であることが望ましい。しかし、光を透過するシート状の素材によって閉じることもできる。
【００２１】
引き戸２１は、火入れ口２３の部分を開閉するものであるが、この引き戸自体にも小窓２４が形成されている。同様の小窓２５は、内部空間１８の外側面を閉塞している外側壁１６ａにも設けられている。小窓２４、２５は、通常は、陰陽思想にモチーフを取った模様から成り、同時に、一種の装飾と燈明の燃焼のための通気を兼ねているものである。しかし、燈明台として使用するときには、墓参者等が引き戸２１を開けることができ、通気も確保し易く、墓参が終われば引き戸２１を閉めて燈明が消えても良いので、小窓２４、２５が貫通した構造である必要性は必ずしもない。よって、小窓２４、２５の代わりに単なる凹状の模様を形成するという選択、或いは正面閉塞部分２０Ｂの小開口２０ｄ等については、光を透過するシート状の素材によって閉じるという選択も可能である。正面閉塞部分２０Ｂの小開口２０ｄも非貫通状の単なる模様などとして形成可能であるので、開口或いは窓といっても文言上のことである。
【００２２】
上記した例１の外柵における燈明台装置１０は、側面形状がほぼＬ字型（Ｊ字型も可）に形成された閉塞部材２０から成ることを特徴とするものであるが、次に平面形状がほぼＬ字型に形成された閉塞部材から成る例２について、図４及び図５を参照して説明する。例２の場合は、図示されているとおり、正面と内面（右側面、但し右外柵部材１７については左側面）の２面が開口部分１９Ｂ、１９Ｃとなっている（図５参照）。そして、閉塞部材は内部空間１８の正面を閉じる石材製の正面閉塞部分２６Ｂと、内部空間１８の内側の側面を閉塞する内側面閉塞部分２６Ｃとが連続して形成されるので、平面形状がほぼＬ字型の閉塞部材２６となる。例２の外柵部材１６及び閉塞部材２６についても、何れも丸鋸を用いて加工することができる。
【００２３】
例２の場合、外柵部材１６には、その内側面の正面側に内側面閉塞部材２６Ｃの納まる浅い凹状部分１６ｆが形成されており、凹状部分１６ｆは、その上部にて内部空間１８に通じている。また、内部空間１８の開放している側の上下の縁に前後方向に沿って、切欠き状の溝部２７ａ、２７ｂがそれぞれ形成されている。これらの溝部２７ａ、２７ｂは、開閉手段である石材製の引き戸２８に対する、例２の摺動機構２７を構成する。閉塞部材２６は上記凹状部分１６ｆの面と、これを囲む上下及び奥の端面そして正面部１６ｅに接触してそれぞれ接合される。凹状部分１６ｆを設けることにより閉塞部材２６の取り付け時に自動的に位置決めされるという利点を生じるが、しかし、凹状部分１６ｆを設けずに内部空間１８の容積を広く取るという選択も可能である。内部空間１８への物品の出し入れのための火入れ口２９は、内側面閉塞部分２６Ｃの引き戸２８に対応する位置に形成されている。なお、正面閉塞部分２６Ｂは外柵部材１６の正面のほぼ全面を覆っており、例１におけるのと同様の小開口２０ｄを有する。また、小窓２４、２５又はその代わりの単なる凹状の模様も、例１と同様に形成される。
【００２４】
内部空間１８を構成する面の内の、少なくとも隣接する２面に亘る曲がり形状は、ほぼＬ字型のみならず、Ｊ字型を含む形状を取ることができるので、次にＪ字型の形状を含む閉塞部材に関する例３について、図６〜図８を参照して説明する。例３の場合も図示されているとおり、正面と内面（右側面、但し右外柵部材１７については左側面）の２面が開口部分１９Ｂ、１９Ｃとなっている点は例２の場合と同じである（図７参照）。しかし、正面と内面の隣接２面の境界部分が曲面で構成されており、そして、閉塞部材は内部空間１８の内側の側面を閉塞する内側面閉塞部分３０Ｃと、内部空間１８の正面を閉じる石材製の正面閉塞部分３０Ｂとが連続して形成されるので、このため、平面形状がほぼＪ字型の閉塞部材３０となる。例３の外柵部材１６及び閉塞部材３０についても、何れも丸鋸を用いて加工することができる。
【００２５】
例３の場合、引き戸２１の開閉手段を構成する摺動機構２２は、例１又は例４と同様に構成される。即ち、上位の部分は溝部２２ａが上面壁１６ｇの下面に、内方の縁に沿うように設けられており（図示せず）、摺動機構２２の下位の部分は、前後方向の桟材２２ｂを内部空間１８の下面の内側の前後方向に取り付け、接合後の内側面閉塞部分３０Ｃとの間に引き戸３１の下辺を配置する摺動機構の一部を形成している（図７参照）。内部空間１８と後方の主柱部分１８ａが外柵部材１６、１７の前後方向の全長に及んで形成されているので、閉塞部材３０もまた前後に長い形態を有している。例３の場合、内部空間１８は外側壁１６ａ、上面壁１６ｇ、下面壁１６ｈ、主柱部分１８ａによって囲まれており、特に大きい収容力を必要とする場合に有効な方法である。例３における火入れ口３２は、内側面閉塞部分３０Ｃの前部に形成されている。上記閉塞部材３０と上面壁１６ｇは段状の係合部３３ａ、３３ｂにて係合するとともに、Ｊ字の曲面側の端部３４ａと外面壁１６ａの前端３４ｂにて位置決めされ、このとき後端は主柱部分１８ａの内面側に接触して接合される。
【００２６】
さらに、内部空間１８を構成する面の上面、正面及び内側の側面の３面に亘って形成された開口部分１９Ａ、１９Ｂ、１９Ｃを有し、かつ、これらの開口部分を閉塞する閉塞部材を具備した例４について、図９を参照して説明する。例４の場合、内部空間１８は上記３面において外部空間に通じているので、閉塞部材も内部空間１８の上面を閉塞する上面閉塞部分３５Ａと、内部空間１８の正面を閉じる石材製の正面閉塞部分３５Ｂと、内部空間１８の内側の側面を閉じる内側面閉塞部分３５Ｃが連続して一体に形成される。故に、平面形状と側面形状の何れもがほぼＬ字型の閉塞部材３５となる。例４の外柵部材１６及び閉塞部材３５についても、何れも丸鋸を用いて加工することができる。
【００２７】
例４の場合、火入れ口３６は内側面閉塞部分３５Ｃに形成されており、火入れ口３６の開閉手段は例１又は例３と同様である。即ち、石材製の引き戸３７の摺動機構２２の上位の部分として溝部２２ａが設けられており、摺動機構２２の下位の部分としては、前後方向の桟材２２ｂが内部空間１８の下面の内側に取り付けられ、内側面閉塞部分３５Ｃの内面との間にて引き戸３７の下辺を受け入れる摺動機構２２の一部を形成している（図９参照）。他の構成については、これまでの例１〜３と同様であるので、図面中に符号を援用して詳細な説明は省略する。なお、閉塞部材３５は、例２における場合と同様に、凹状部分１６ｆの面と、正面部１６ｅに接触し、かつ、上面閉塞部分３５Ａが外側壁上端部１６ｉに載置され、後端は内部空間１８の奥壁上部に接触してそれぞれ接合される。
【００２８】
開閉手段を、開き扉方式に形成することも可能である。そのため各例における火入れ口２９に金属製部材から成る扉外枠３８を接合するとともに、扉外枠３８に金属製部材から成る開き扉３９を、ヒンジ部４０を用いて開閉可能に取り付けた構造のものすることができる（図１０、図１１参照）。ヒンジ部４０については扉外枠３８と開き扉３９の一端部に上下方向の軸孔４１ａ、４１ｂを形成し、その軸孔４１ａ、４１ｂにヒンジ軸４２を差し込んで構成される。このものは、扉外枠３８にて火入れ口２３、２９、３２、３６に接合することで使用することができる。なお、上記開き扉３９は窓状開口部３９ａを有している。４３ａは磁性体から成る摘み、４３ｂは磁気吸着部を示す。金属製部材の素材としては、例えば、ステンレススチール或いは真鍮などの、錆び難く、耐候性を有するものを使用することが望ましい。４５は化粧板材を示しており、板面に小窓２４を有する。
【００２９】
このように構成されている本発明の燈明台装置１０では、引き戸２４、２８、３１及び３７又は開き扉３９などによって構成されている開閉手段を開いて、内部空間１８に、例えば、燭台４４を配置することができる（図３参照）。燭台４４の光は、例えば、正面閉塞部分２０Ｂ、２６Ｂ、３０Ｂ、３５Ｂに形成された小開口２０ｄ、内側面閉塞部分２６Ｃ、３０Ａ、３５Ｃに形成された小窓２４、２５などを通して周囲を照らし、所期の目的を果たすことになる。目的に反して、光に引き寄せられる虫害を減少するか無くすには、上記小開口２０ｄ、小窓２４、２５を、光を透過するシート状の素材によって閉塞することが好適である。また、内部空間１８には、墓参に使われる、燈明以外の様々な物品も収納可能であり、墓参や墓の管理をつつがなく行うことができる。以上のように、内部空間１８は左右対称であるから左右の区別があるが、備えるべき構成は基本的に左右で相違がないので、左の外柵部材１６と右の外柵部材１７を置き換えて読むことにより、右の外柵部材１７にも左の外柵部材１６と同じ構成が備えられることを、容易に理解することができるであろう。
【図面の簡単な説明】
【００３０】
【図１】本発明に係る墓石の外柵における燈明台装置の一例を示す墓所の斜視図である。
【図２】同上における灯明台装置の例１を分解して示す斜視図である。
【図３】同じく外柵部材を示す正面図である。
【図４】同じく本発明に係る装置の例２を左方から見た斜視図である。
【図５】同じく左方から示す分解斜視図である。
【図６】同じく本発明に係る装置の例３を左方から見た斜視図である。
【図７】同じく左方から示す分解斜視図である。
【図８】同じく右後方から見た分解斜視図である。
【図９】同じく本発明に係る装置の例４を右後方方から見た分解斜視図である。
【図１０】同じく開閉手段を外側から示す斜視図である。
【図１１】同じく開閉手段を内側から示す斜視図である。
【符号の説明】
【００３１】
１０  墓石の外柵における燈明台装置
１１  墓石
１２  水鉢
１３  花立て
１４  香炉
１５  外柵
１６  左外柵部材
１７  右外柵部材
１８  内部空間
１９Ａ、１９Ｂ、１９Ｃ  開口部分
２０、２６、３０、３５  閉塞部材
２０Ａ、３５Ａ  上面閉塞部分
２０Ｂ、２６Ｂ、３０Ｂ、３５Ｂ  正面閉塞部分
２６Ｃ、３０Ｃ、３５Ｃ  内側面閉塞部分
２１、２８、３１、３７  引き戸
２２、２７  摺動機構
２３、２９、３２、３６  火入れ口
２４、２５  小窓
３３ａ、３３ｂ  係合部
３４ａ  端部、３４ｂ  前端
３８  扉外枠
３９  開き扉
４０  ヒンジ部
４１ａ、４１ｂ  軸孔
４２  ヒンジ軸
４３ａ  摘み、４３ｂ  磁気吸着部
４４  燭台
４５  化粧板材
【図１】
0005840882.tif 000002
【図２】
0005840882.tif 000003
【図３】
0005840882.tif 000004
【図４】
0005840882.tif 000005
【図５】
0005840882.tif 000006
【図６】
0005840882.tif 000007
【図７】
0005840882.tif 000008
【図８】
0005840882.tif 000009
【図９】
0005840882.tif 000010
【図１０】
0005840882.tif 000011
【図１１】
0005840882.tif 000012